(57)【要約】【課題】包装袋の、容器蓋等に対する脱着を、包装袋の破袋のおそれなしに簡易に、しかも適正かつ確実に行うことができ、さらには、弁当等の製造業者による粘着テープの使用をも不要とする。【解決手段】包装用フィルムのシーラント層を融着させて被包装物を封入するとともに、被包装物の収容スペースと対応する部分６で、外表面に、一面に剥離紙７を付着させた両面粘着テープ８の他面を貼着させてなる。【選択図】      図２
2004331084.tif 000002
【特許請求の範囲】
【請求項１】
包装用フィルムのシーラント層を融着させて被包装物を封入するとともに、被包装物の収容スペースと対応する部分で、外表面に、一面に剥離紙を付着させた両面粘着テープの他面を貼着させてなることを特徴とする包装袋。
【請求項２】
両面粘着テープの他面側の粘着力を、剥離紙側の粘着力より大きくしてなることを特徴とする請求項１に記載の包装袋。
【請求項３】
請求項１もしくは２に記載の包装袋を、剥離紙の剥離下で、包装容器の蓋体外表面に貼り付けてなることを特徴とする包装容器。
【発明の詳細な説明】
【０００１】
【発明の属する技術分野】
この発明は、調味料、ドレッシングその他の被包装物の充填封入下で、弁当、惣菜等に添付される比較的小型の軟質包装袋および、それを用いた包装容器に関するものであり、たとえば、弁当容器等の外表面に対する包装袋の脱着を、簡易に、かつ破袋のおそれなしに常に適正に行うことができる技術を提案するものである。
【０００２】
【従来の技術】
たとえば、コンビニエンスストア、スーパーマーケット等で購入した弁当を店頭の電子レンジ等で加熱するに当っては、図４に例示するように、容器蓋２１に、調味料等の包装袋２２を横切って延びるセロファンテープ、ビニールテープ等の粘着テープ２３をもって貼着させているその包装袋２２を、容器蓋２１から一旦取り外すとともに、加熱の終了後に、その粘着テープ２３によって再び容器蓋２１に貼着させることが広く一般に行われている。
【０００３】
【発明が解決しようとする課題】
ところが、容器蓋２１に貼着されている包装袋２２をそこから取り外すに際して、その包装袋２２を直接的に引張ると、包装袋２２が、そこに設けた引裂きノッチ２４その他の個所から破袋することがある一方で、粘着テープ２３を直接的に引き剥すことは甚だ面倒であり、しかも、包装袋２２の取り外しが適正に行われてなお、包装袋２２の両側部等から長く突出する粘着テープ２３の粘着面が包装袋２２または粘着テープそれ自身に貼り付くことによって、包装袋２２の、容器蓋２１への再度の貼着を、見映えの低下なしに、確実に行い得なくなることもしばしばあった。
【０００４】
この発明は、従来技術が抱えるこのような問題点を解決することを課題とするものであり、それの目的とするところは、包装袋の、容器蓋等に対する脱着を包装袋の破袋のおそれなしに簡単かつ用意に、しかも、常に適正かつ確実に行うことができ、さらには、弁当等の製造業者による粘着テープの使用をも不要とすることができる包装袋、および、それを用いた包装容器を提供するにある。
【０００５】
【課題を解決するための手段】
この発明の包装袋は、多くは積層フィルムからなる包装用フィルムのシーラント層を、ヒートシール、インパルスシール、超音波シール、高周波ウエルダーシール等によって融着させて被包装物を封入するとともに、被包装物の収容スペースと対応する部分で、外表面に、一面に剥離紙を付着させた両面粘着テープの他面を貼着させたものである。
【０００６】
ここで好ましくは、両面粘着テープの他面側、いいかえれば包装袋側の粘着力を、剥離紙側の粘着力より大きくしてなる。
【０００７】
また、この発明の包装容器は、先に述べたいずれかの包装袋を、剥離紙の剥離下で、包装容器の蓋体外表面に貼り付けたものである。
【０００８】
この包装袋は、たとえば、弁当、惣菜等の製造業者が、それを、多くはプラスチック成形品からなる包装容器本体に収納するとともに施蓋した後、その蓋体の外表面に、両面テープの剥離紙を剥がした包装袋を押圧するだけで、蓋体の所要位置に、粘着テープ等を使用することなく、簡易迅速に、しかも、常に適正かつ確実に取付けることができる。
【０００９】
またこの包装袋は、弁当その他の電子レンジによる加熱等に当って、または、弁当等を食するに当って、それを蓋体表面から取り外す場合は、包装袋それ自体を、それのいずれか一方側から直接的に引張ることで、破袋を生じることなく、簡単に、かつ円滑に取り外すことができる。
【００１０】
この一方で、加熱後の弁当等の蓋体への、包装袋の再度の取り付けは、包装袋の両面テープをその蓋体の所要位置に押圧することで、常に簡易に、しかも、見映えの低下等なしに、適正かつ確実に行うことができる。
なおここで、両面粘着テープの粘着力を、剥離紙側のそれより包装袋側で大きくした場合には、包装袋の、容器蓋体等からの取り外しに際して、両面粘着テープが蓋体側に付着残留するおそれをより十分に取り除くことができる。
【００１１】
【発明の実施の形態】
以下にこの発明の実施の形態を図面に示すところに基いて説明する。
図１は、この発明の実施形態を示す平面図、図２は、図１のＩＩ−ＩＩ線に沿う断面図である。
たとえば、基材層とシーラント層または、基材層と、中間層と、シーラント層との積層構造になる包装用フィルムのシーラント層を、図に斜線を施して示すように、ヒートシールその他によって融着されるとともに、調味料、ドレッシングその他の被包装物を充填し、封止してなるこの包装袋１は、被包装物の注出のための狭幅通路２を有するとともに、図では縦融着部３の、狭幅通路２と対応する個所に、包装袋１の引裂き開封を容易にするための引裂きノッチを有する。
【００１２】
またこの包装袋１は、被包装物の収容スペースと対応する部分、図に示すところでは縦横のそれぞれの融着部３、５以外の部分６で、それの外表面の所要位置に一方の表面を貼着させ、他方の表面に、図２に示すように剥離紙７を付着させた両面粘着テープ８を有してなる。
ここで、両面粘着テープ８の所要位置への貼着は、被包装物の充填封止の終了の後に行い得ることはもちろんであるが、たとえば、被包装物の自動充填包装機に既存のラベラー等を付設して、被包装物の充填前の包装用フィルムに対して行うこともでき、これによれば、被包装物の充填封止の後の作業工数を全く不要にできる利点がある。
【００１３】
このように構成してなる包装袋１は、たとえば、剥離紙７を剥して両面粘着テープ８の他方の面を、弁当容器等の蓋体外表面に貼り付けるだけで使用に供することができ、弁当の加熱に当っては、その包装袋１を、いずれか一方の側部側より蓋体から引き剥すことによって包装袋１に不測の破袋等を生じることなく、簡易に、かつ円滑に蓋体から取り外すことができる。
しかもこの場合は、包装袋の添付に、それとは別個の粘着テープを使用する従来技術のように、粘着テープの、不要な個所への意図しない貼り付け等のおそれがないので、包装袋１を、加熱を終えた後の容器蓋体等に再び貼り付けるに際して、その貼り付けを、見映えの低下等なしに、常に適正に、かつ確実に行うことができる。
【００１４】
ところで、この発明に係る包装袋それ自体のシール形式は、被包装物の封入前において、図示のような二方シール形のものの他、既知の側方シール形、三方シール形等とすることができる他、封筒形、中央合掌シール形とすることもでき、また、その包装袋は、瓶口状の狭幅通路を有しないものとすることもできる。
【００１５】
図３は中央合掌シール形とした、狭幅通路を有しない包装袋を例にとって示す実施形態であり、これは、横融着部５に引裂きノッチ４を設けるとともに、合掌状融着部９に重ねて両面粘着テープ８を貼着したものであり、この包装袋１もまた先に述べたものと同様に機能させることができる。
【００１６】
【発明の効果】
以上述べたところから明らかなように、この発明によれば、包装袋において、被包装物の収容スペースと対応する部分に両面粘着テープを貼着させることにより、その包装袋の、容器蓋等に対する脱着を、包装袋の破袋のおそれなしに、簡易に、しかも、常に適正かつ確実に行うことができ、この一方で、弁当等の製造業者による粘着テープ等の使用を全く不要とすることができる。
【図面の簡単な説明】
【図１】この発明の実施の形態を示す平面図である。
【図２】図１のＩＩ−ＩＩ線に沿う断面図である。
【図３】他の実施形態を示す図である。
【図４】従来の包装袋の容器蓋への適用状態を示す平面図である。
【符号の説明】
１  包装袋
２  狭幅通路
３  縦融着部
４  引裂きノッチ
５  横融着部
６  部分
７  剥離紙
８  両面粘着テープ
９  合掌状融着部
【図１】
2004331084.tif 000003
【図２】
2004331084.tif 000004
【図３】
2004331084.tif 000005
【図４】
2004331084.tif 000006